(57)【要約】【課題】利用者が近隣又は同一建物内の食料品店等から購入した食材等を人工ビーチを含むレジャー施設内へ持ち込むことができるようにし、その食材等を用いて利用者がバーベキュー等の料理やアクティビティを行うことができるようにすること。【解決手段】所定の領域又は建物屋上に砂を載置して人工ビーチを形成し、レジャー施設の少なくとも一部を囲む壁材に海やビーチ等の写真や絵を表示した人工ビーチを含むレジャー施設において、利用者が近隣又は同一建物内の食料品店等から購入した食材等を前記レジャー施設内へ持ち込むことができるようにし、前記レジャー施設内へ持ち込んだ前記食材等を用いて前記利用者がバーベキュー等の料理やアクティビティを行うことができるようにし、前記人工ビーチで前記利用者がビーチスポーツやダンス等を行うことができるようにする人工ビーチを含むレジャー施設におけるサービス提供方法。【選択図】図１
2019020871.tif 000002
【特許請求の範囲】
【請求項１】
所定の領域又は建物屋上に砂を載置して人工ビーチを形成し、レジャー施設の少なくとも一部を囲む壁材に海やビーチ等の写真や絵を表示した人工ビーチを含むレジャー施設において、
利用者が近隣又は同一建物内の食料品店等から購入した食材等を前記レジャー施設内へ持ち込むことができるようにし、
前記レジャー施設内へ持ち込んだ前記食材等を用いて前記利用者がバーベキュー等の料理やアクティビティを行うことができるようにし、
前記人工ビーチで前記利用者がビーチスポーツやダンス等を行うことができるようにする
人工ビーチを含むレジャー施設におけるサービス提供方法。
【請求項２】
所定の領域又は建物屋上に砂を載置して人工ビーチを形成し、レジャー施設の少なくとも一部を囲む壁材に海やビーチ等の写真や絵を表示した人工ビーチを含むレジャー施設であって、
利用者は近隣又は同一建物内の食料品店等から購入した食材等を前記レジャー施設内へ持ち込むことができ、
前記レジャー施設内へ持ち込んだ前記食材等を用いて前記利用者はバーベキュー等の料理やアクティビティを行うことができ、
前記人工ビーチで前記利用者はビーチスポーツやダンス等を行うことができる
人工ビーチを含むレジャー施設。
【発明の詳細な説明】
【技術分野】
【０００１】
本発明は、利用者に食料品店等で購入した食材等の持ち込みを許容するレジャー施設に関する。
【背景技術】
【０００２】
近年、コンビニエンスストアでのイートインという業態が現れている。店舗で購入した商品をそのまま店舗内で飲食することができるので利便性が高い。
しかし、コンビニエンスストアは立地や２４時間営業の側面等から商品の販売価格は定価であることが通常である。
【０００３】
これに対して、スーパーマーケット等では定価販売よりも割引価格での販売等により集客し、エブリデイローコスト戦略を採用することも多い。
【０００４】
従って、スーパーマーケット等のイートイン版の業態が実現できれば、新しい外食産業の業態ともなり得る。
【０００５】
また、一時のファミリーレストランの人気にもいくばくか陰りがみえ始めているといわれており、受動的に与えられるシステムに満足できなくなってきた利用者は、むしろ自分から主体的に動くことにより調理に関わる楽しみを求めるようになってきている。
【０００６】
一方で、身近な場所に砂場が少なくなってきている現実があり、子供のために砂場での遊びが求められていたり、また、大人でも、砂の上をはだしで歩くと体に帯電している電気が地面へ逃げてすっきりし、健康にもとてもいいという「アーシング」という説もあり、砂の上で疲れた体をリセットしたり、ビーチスポーツやダンス等を足腰への負担が少なくケガのリスクも減る柔らかい砂の上で思い切り行うことが求められている。
そこで、人工ビーチを造成すると、海の無い県や市でも手軽に南国の雰囲気でゆったりした時間を過ごすことができ、また、安全安心の観点からは、自然のビーチと比較して波も無く、サメも来ず、子供の迷子の心配もないという優れたメリットが生じることとなる。
【０００７】
ここで、関連技術として、海上にホテルなどの休憩施設と展望台などの海洋観光施設、及び釣り場やスキューバダイビングなどの海洋レジャー施設を共に備えているマリンリゾート構造物に関する技術が開示されている（特許文献１参照）。
【先行技術文献】
【特許文献】
【０００８】
【特許文献１】特許第６１３３３７６号公報
【発明の概要】
【発明が解決しようとする課題】
【０００９】
しかし、上記の関連技術では、利用者が近隣又は同一建物内の食料品店等から購入した食材等を快適な人工ビーチを含むレジャー施設内へ持ち込むことができるようにし、その食材等を用いて利用者がバーベキュー等の料理やアクティビティを行うことができるようにすることは困難である。すなわち、スーパーマーケット等のイートイン版の業態は実現できない。
【００１０】
本発明の目的は、利用者が近隣又は同一建物内の食料品店等から購入した食材等を人工ビーチを含むレジャー施設内へ持ち込むことができるようにし、その食材等を用いて利用者がバーベキュー等の料理やアクティビティを行うことができるようにする人工ビーチを含むレジャー施設におけるサービス提供方法等を実現することにある。
【課題を解決するための手段】
【００１１】
本発明の人工ビーチを含むレジャー施設におけるサービス提供方法は、
所定の領域又は建物屋上に砂を載置して人工ビーチを形成し、レジャー施設の少なくとも一部を囲む壁材に海やビーチ等の写真や絵を表示した人工ビーチを含むレジャー施設において、
利用者が近隣又は同一建物内の食料品店等から購入した食材等を前記レジャー施設内へ持ち込むことができるようにし、
前記レジャー施設内へ持ち込んだ前記食材等を用いて前記利用者がバーベキュー等の料理やアクティビティを行うことができるようにし、
前記人工ビーチで前記利用者がビーチスポーツやダンス等を行うことができるようにする。
【００１２】
本発明の人工ビーチを含むレジャー施設は、
所定の領域又は建物屋上に砂を載置して人工ビーチを形成し、レジャー施設の少なくとも一部を囲む壁材に海やビーチ等の写真や絵を表示した人工ビーチを含むレジャー施設であって、
利用者は近隣又は同一建物内の食料品店等から購入した食材等を前記レジャー施設内へ持ち込むことができ、
前記レジャー施設内へ持ち込んだ前記食材等を用いて前記利用者はバーベキュー等の料理やアクティビティを行うことができ、
前記人工ビーチで前記利用者はビーチスポーツやダンス等を行うことができる。
【発明の効果】
【００１３】
本発明によれば、利用者が近隣又は同一建物内の食料品店等から購入した食材等を人工ビーチを含むレジャー施設内へ持ち込むことができるようにし、その食材等を用いて利用者がバーベキュー等の料理やアクティビティを行うことができるようにする人工ビーチを含むレジャー施設におけるサービス提供方法等を実現することができる。
【図面の簡単な説明】
【００１４】
【図１】本発明の実施の形態に係る人工ビーチを含むレジャー施設の平面図の一例を示す図である。
【図２】本発明の実施の形態に係るレジャー施設を囲む壁材に海やビーチ等の写真を表示した状態を説明する図である。
【発明を実施するための形態】
【００１５】
以下、本発明の実施の形態を図面を参照しつつ説明する。
【００１６】
図１に示すように、本実施の形態における人工ビーチを含むレジャー施設は、出入り口のエリアを除き、周囲を高さ約３ｍの壁材により囲まれている。
この壁材は、強風や利用者がぶつかった場合でも、容易に倒壊しないように、支持部材により強固に支えられている。
また、図１における右側の壁材（高さ約４ｍ）の一面には、図２に示すような、海やビーチ等の写真が印刷して表示されている。写真ではなく、絵画等であってもよい。印刷の他、塗装、貼付、投影（プロジェクションマッピング等）などで描画されることであってもよい。なお、他の三方の壁面をなす壁材にも海やビーチ等が表示されることであってもよい。
【００１７】
本実施の形態における人工ビーチを含むレジャー施設のうち図１における略右側半分のエリアには、砂が載置されて堆積しており、人工ビーチ（砂浜）が実現されている。
砂は、例えば、珪砂などであってよく、優しい純白のアーバンビーチを演出することができる。砂には、猫対策などを施して清潔に保たれることが好ましい。
人工ビーチでは、利用者はビーチスポーツ（例えば、テニス、バレー、フラッグ）やフラダンス等を行うことができる。特に、ステージが設けられているとダンス等の実演には最適となる。
さらに、ホルミシス効果があるといわれているテラ鉱石を微細な砂状にして、ビーチの砂と混ぜ合わせ、砂の下に温水パイプを通して熱源にした「テラ鉱石砂風呂」のエリアが造成されていてもよい。テラ鉱石の作用により利用者の体の芯まで温まり、疲労回復やストレス発散の効果が期待できる。
【００１８】
本実施の形態における人工ビーチを含むレジャー施設は、喧騒の空間をスッパリ切り取った完璧な異空間で心癒すビーチフォト等のウォールで囲まれた空間と優しい純白の砂という憧れのリゾートライフをライトに体験できる都会のオアシスとなっている。例えば、砂浜に寝そべって読書や昼寝をしたり、砂浜を眺めながらトロピカルドリンクを飲んでゆったり過ごしたり、心地よい音楽が流れ、自然の海や海外のリゾートへ出かけることなしに、たっぷり癒される空間となっている。
【００１９】
さらに、本実施の形態における人工ビーチを含むレジャー施設は、バーベキュー等の調理用スペースが設けられ、バーベキュー等の機材のレンタルも実施されている。
【００２０】
そして、本実施の形態における人工ビーチを含むレジャー施設では、利用者は近隣のスーパーマーケット等の食料品店等から購入した食材等をレジャー施設内へ持ち込むことができる。利用者は、レジャー施設内へ持ち込んだ食材等を用いてバーベキュー等の料理やアクティビティ（例えば、スイカ割りや花火等である。）を行うことができる。
従って、価格が安く（コンビニエンスストアは定価）、汚れを気にする必要がなく（掃除不要）、多人数でのパーティー等も可能となり、一番食べたい物を、一番安く、一番気楽に享受することができ、いわばスーパーマーケット等のイートイン版の業態を実現することができる。
また、スーパーマーケット等の食料品店等の売上げも大幅にアップし、感謝され、種々の提携も進み、例えば、一部の食材をレジャー施設において出張販売することであってもよい。
【００２１】
変形例として、大型のスーパーマーケット等の食料品店等の同一建物の屋上等に、本実施の形態における人工ビーチを含むレジャー施設を造成する場合でも、上記と同様に、スーパーマーケット等の食料品店等から購入した食材等をレジャー施設内へ持ち込み、スーパーマーケット等のイートイン版の業態を実現することができる。
【００２２】
さらに、本実施の形態における人工ビーチを含むレジャー施設を、モールの近傍に造成すれば、モール全体への集客装置として機能させることもできる。
【００２３】
その他にも、本実施の形態における人工ビーチを含むレジャー施設には、水着で日光浴をしたい利用者のためのシャワールームや、ロッカー等が併設されている。また、バスケットボールの３ｏｎ３のコートも併設されている。さらに、移動販売車（キッチンカー）ではたこ焼きやかき氷等が販売されている。
【００２４】
週末等にはフラダンスやＤＪパフォーマンスが行われたり、各種イベントなどが随時開催されることであってもよい。
【００２５】
上記の本実施の形態によれば、利用者が近隣又は同一建物内の食料品店等から購入した食材等を人工ビーチを含むレジャー施設内へ持ち込むことができるようにし、その食材等を用いて利用者がバーベキュー等の料理やアクティビティを行うことができるようにする人工ビーチを含むレジャー施設におけるサービス提供方法及びその人工ビーチを含むレジャー施設を実現することができる。
また、利用者が自分から主体的に動くことにより調理に関わる楽しみを実現できる。
また、子供のための砂場での遊びや、大人でも、砂の上で疲れた体をリセットしたり、ビーチスポーツやダンス等を足腰への負担が少なくケガのリスクも減る柔らかい砂の上で思い切り行うことが実現できる。
また、人工ビーチにより、海の無い県や市でも手軽に南国の雰囲気でゆったりした時間を過ごすことができ、また、安全安心の観点からは、自然のビーチと比較して波も無く、サメも来ず、子供の迷子の心配もなく、親子連れにも最適である。
【００２６】
なお、上述する実施の形態は、本発明の好適な実施の形態であり、本発明の要旨を逸脱しない範囲内において種々変更実施が可能である。
【図１】
2019020871.tif 000003
【図２】
2019020871.tif 000004